(57)【要約】【課題】表示システムを起動させて、最初のシーンの表示までの時間を短縮させることで、操作性の向上を図ることのできる表示システムを提供する。【解決手段】本発明の表示システムの液晶プラットフォーム部２００は、液晶ワイドインパネ１００において表示すべきシーン全てを表示するのに必要な全てのコードイメージデータを格納するＦｌａｓｈＲＯＭ２０３と、上記ＦｌａｓｈＲＯＭ２０３から転送されたコードイメージデータを格納するＲＡＭ２０４と、上記ＲＡＭ２０４に転送されたコードイメージデータから上記表示用データを生成するＤＩＣ２０１と、上記ＦｌａｓｈＲＯＭ２０３に格納されたコードイメージデータを、所定の基準で分類したグループ単位で、上記ＲＡＭ２０４に転送させ、当該グループのコードイメージデータの該ＲＡＭ２０４への転送完了後、上記表示用データを生成するように上記ＤＩＣ２０１を制御するマイコン２０４とを有する。【選択図】図１
2009116043.tif 000002
【特許請求の範囲】
【請求項１】
操縦可能な移動体に搭載された表示システムであって、
上記移動体に関する複数種類の情報を画像として表示する表示装置と、
上記表示装置において表示すべき画像を予め設定したシーン毎に表示用データとして当該表示装置に出力する表示用データ出力装置とを備え、
上記表示用データ出力装置は、
一つのシーンを表示するのに必要な最小単位のデータをコードイメージデータとしたとき、
上記表示装置において表示すべきシーン全てを表示するのに必要な全てのコードイメージデータを格納する第１記憶部と、
上記第１記憶部から転送されたコードイメージデータを格納する第２記憶部と、
上記第１記憶部に格納されたコードイメージデータを上記第２記憶部に転送させ、該第２記憶部に転送されたコードイメージデータから上記表示用データを生成し、生成した表示用データを上記表示装置に出力する表示用データ生成手段とを有し、
上記表示用データ生成手段は、上記第１記憶部に格納されたコードイメージデータを、所定の基準でグループに分類し、グループ単位で、上記第２記憶部に転送させ、転送が完了したグループのコードイメージデータから上記表示用データを生成することを特徴とする表示システム。
【請求項２】
上記各コードイメージデータには、上記第１記憶部から上記第２記憶部へコードイメージデータを転送する優先順位を示す優先度が付与され、
上記表示用データ生成手段は、
上記第１記憶部に格納された複数のコードイメージデータを、付与された優先度から同じ優先度のグループに分類し、優先度の高いグループから順に、上記第２記憶部に転送させることを特徴とする請求項１に記載の表示システム。
【請求項３】
上記優先度は、１〜ｎ（ｎは自然数）段階に設定可能であることを特徴とする請求項２に記載の表示システム。
【請求項４】
上記優先度とシーンとを対応付けた優先度テーブルを有し、
上記表示用データ生成手段は、
上記第１記憶部に格納された複数のコードイメージデータを、上記優先度テーブルを参照して、同じ優先度のグループに分類し、優先度の高いグループから順に、上記第２記憶部に転送させることを特徴とする請求項２または３に記載の表示システム。
【請求項５】
車両に搭載されていることを特徴とする請求項１〜４の何れか１項に記載の表示システム。
【請求項６】
操縦可能な移動体に搭載され、上記移動体に関する複数種類の情報を画像として表示する表示装置において表示すべき画像を予め設定したシーン毎に表示用データとして当該表示装置に出力する表示用データ出力装置において、
一つのシーンを表示するのに必要な最小単位のデータをコードイメージデータとしたとき、
上記表示装置において表示すべきシーン全てを表示するのに必要な全てのコードイメージデータを格納する第１記憶部と、
上記第１記憶部から転送されたコードイメージデータを格納する第２記憶部と、
上記第１記憶部に格納されたコードイメージデータを上記第２記憶部に転送させ、該第２記憶部に転送されたコードイメージデータから上記表示用データを生成し、上記表示装置に出力する表示用データ生成手段とを有し、
上記表示用データ生成手段は、上記第１記憶部に格納されたコードイメージデータを、所定の基準でグループに分類し、グループ単位で、上記第２記憶部に転送させ、転送が完了したグループのコードイメージデータから上記表示用データを生成することを特徴とする表示用データ出力装置。
【請求項７】
上記各コードイメージデータには、上記第１記憶部から上記第２記憶部へコードイメージデータを転送する優先順位を示す優先度が付与され、
上記表示用データ生成手段は、
上記第１記憶部に格納された複数のコードイメージデータを、付与された優先度から同じ優先度のグループに分類し、優先度の高いグループから順に、上記第２記憶部に転送させることを特徴とする請求項６に記載の表示用データ出力装置。
【請求項８】
上記優先度は、１〜ｎ（ｎは自然数）段階に設定可能であることを特徴とする請求項７に記載の表示用データ出力装置。
【請求項９】
上記優先度とシーンとを対応付けた優先度テーブルを有し、
上記表示用データ生成手段は、
上記第１記憶部に格納された複数のコードイメージデータを、上記優先度テーブルを参照して、同じ優先度のグループに分類し、優先度の高いグループから順に、上記第２記憶部に転送させることを特徴とする請求項７または８に記載の表示用データ出力装置。
【請求項１０】
車両に搭載されていることを特徴とする請求項６〜９の何れか１項に記載の表示用データ出力装置。
【請求項１１】
操縦可能な移動体に搭載され、上記移動体に関する複数種類の情報を画像として表示する表示装置において表示すべき画像を予め設定したシーン毎に表示用データを生成する表示用データ生成手段と、一つのシーンを表示するのに必要な最小単位のデータをコードイメージデータとしたとき、上記表示装置において表示すべきシーン全てを表示するのに必要な全てのコードイメージデータを格納する第１記憶部と、上記第１記憶部から転送されたコードイメージデータを格納する第２記憶部とを有し、上記表示用データ生成手段において生成された表示用データを、当該表示装置に出力する表示用データ出力装置に備えられた表示制御装置において、
上記第１記憶部に格納されたコードイメージデータを、所定の基準でグループに分類し、グループ単位で、上記第２記憶部に転送させ、転送が完了したグループのコードイメージデータからから上記表示用データを生成するように上記表示用データ生成手段を制御することを特徴とする表示制御装置。
【請求項１２】
上記各コードイメージデータには、上記第１記憶部から上記第２記憶部へコードイメージデータを転送する優先順位を示す優先度が付与され、
上記第１記憶部に格納された複数のコードイメージデータを、付与された優先度から同じ優先度のグループに分類し、優先度の高いグループから順に、上記第２記憶部に転送させるように上記表示用データ生成手段を制御することを特徴とする請求項１１に記載の表示制御装置。
【請求項１３】
上記優先度は、１〜ｎ（ｎは自然数）段階に設定可能であることを特徴とする請求項１２に記載の表示制御装置。
【請求項１４】
上記優先度とシーンとを対応付けた優先度テーブルを有し、
上記第１記憶部に格納された複数のコードイメージデータを、上記優先度テーブルを参照して、同じ優先度のグループに分類し、優先度の高いグループから順に、上記第２記憶部に転送させるように上記表示用データ生成手段を制御することを特徴とする請求項１２または１３に記載の表示制御装置。
【請求項１５】
車両に搭載されていることを特徴とする請求項１１〜１４の何れか１項に記載の表示制御装置。
【請求項１６】
操縦可能な移動体に搭載され、上記移動体に関する複数種類の情報を画像として表示する表示装置において表示すべき画像を予め設定したシーン毎に表示用データを生成する表示用データ生成手段と、一つのシーンを表示するのに必要な最小単位のデータをコードイメージデータとしたとき、上記表示装置において表示すべきシーン全てを表示するのに必要な全てのコードイメージデータを格納する第１記憶部と、上記第１記憶部から転送されたコードイメージデータを格納する第２記憶部とを有し、上記表示用データ生成手段において生成された表示用データを、当該表示装置に出力する表示用データ出力装置における表示制御方法において、
上記第１記憶部に格納されたコードイメージデータを、所定の基準でグループに分類する第１のステップと、
上記第１のステップにおいてグループに分類されたコードイメージデータを、グループ単位で、上記第２記憶部に転送させる第２のステップと、
上記第２のステップにより当該グループのコードイメージデータが第２記憶部への転送完了後、当該第２記憶部に転送が完了されたグループのコードイメージデータから上記表示用データを上記表示用データ生成手段に生成させる第３のステップとを含んでいることを特徴とする表示制御方法。
【請求項１７】
コンピュータを、クレーム１１〜１４の何れか１項に記載の表示制御装置の手段として機能させる表示制御プログラム。
【請求項１８】
クレーム１７に記載の表示制御プログラムを記録したコンピュータ読み取り可能な記録媒体。
【発明の詳細な説明】
【技術分野】
【０００１】
本発明は、車両等操縦可能な移動体に搭載する表示システムに関する。
【背景技術】
【０００２】
近年、自動車等のインストルメントパネル（以下、インパネと称する）搭載用の表示システムとして、走行速度やエンジン回転数等の車両状態情報の他に、ナビゲーション画像等の運転を支援するような情報を付加的画像としてディスプレイ（表示部）に表示させる表示システムが提案されている。
【０００３】
例えば、特許文献１に開示されている表示システムは、図１１に示すように、表示装置としての液晶ワイドインパネ１１００と、該液晶ワイドインパネ１１００に対して表示用データを供給する表示用データ出力装置としての液晶プラットフォーム部１２００と、該液晶プラットフォーム部１２００に対して表示用データ生成のための画像データを供給する入力ストリーム部１３００とを含んだ構成となっている。
【０００４】
上記液晶ワイドインパネ１１００は、自動車のインパネとして使用され、横長（例えば、アスペクト比が３：７以上）の液晶表示パネルからなり、上記液晶プラットフォーム部１２００から供給される表示用データに応じた画像を表示するようになっている。
【０００５】
ここで、上記表示用データ出力装置１２００は、表示用データを生成するＤＩＣ（Digital Image Composer)１２０１と、ＤＩＣ１２０１を制御するマイコン１２０２とを備えた構成となっている。上記ＤＩＣ１２０１には、ＦｌａｓｈＲＯＭ１２０３とＲＡＭ１２０４とが接続されている。
【０００６】
ＤＩＣ１２０１に接続されているＦｌａｓｈＲＯＭ１２０３には、当該ＤＩＣ１２０１をコントロールするためのＣｏｄｅデータおよび表示に用いるＩｍａｇｅデータがあらかじめ登録されている。例えば、ＦｌａｓｈＲＯＭ１２０３には、図１２に示すようなＣｏｄｅ／Ｉｍａｇｅデータが登録されている。
【０００７】
ＤＩＣ１２０１は、マイコン１２０２からのコマンドに従い、ＦｌａｓｈＲＯＭ１２０３のＣｏｄｅ／Ｉｍａｇｅデータを処理することにより、液晶ワイドインパネ１１００上に入力ストリーム１３００であるカーナビやＣＣＤカメラなどの映像を任意のレイアウトで表示することができる。
【０００８】
マイコン１２０２には、車内ネットワーク（ＣＡＮなど）経由で車内からのあらゆる情報（スピード、燃料残などの移動体情報）が入力される。マイコン１２０２は、これらの情報から切り替えるべきシーンを決定し、コマンドとして同シーンのインデックス番号をＤＩＣ１２０１に送信することにより、液晶ワイドインパネ１１００上の表示レイアウトが変更される。
【０００９】
Ｃｏｄｅ／Ｉｍａｇｅデータの構造は、例えば図１２に示すような構造となっている。すなわち、先頭のコマンド領域にはインパネのレイアウトを構成するためのコマンド群が登録されている。また、これに続くイメージ領域１、イメージ領域２…イメージ領域にはレイアウトを構成する部品のイメージデータが登録されている。
【００１０】
上記Ｃｏｄｅ／Ｉｍａｇｅデータは、図１３に示すように、各シーンに対応する表示画像をデジタルデータに変換したデータである。
【００１１】
ＤＩＣ１２０１は、シーン毎に対応したＣｏｄｅ／Ｉｍａｇｅデータを読み出して、対応するシーンの表示用データを液晶ワイドインパネ１１００に出力するようになっている。
【００１２】
ＤＩＣ１２０１は、マイコン１２０２からのシーンの切り替えを示すコマンドが入力されることにより、ＲＡＭ１２０４に登録されているＣｏｄｅ／Ｉｍａｇｅデータを読み出すようになっている。
【００１３】
図１４に、走行時、停車時およびバック時の液晶ワイドインパネ１１００の表示例を示す。これらが、例えば、３つのシーンとなる。
【００１４】
まず、走行時の画面表示について説明する。図１４に示されるように、走行時には、５つの画面分割となる。操縦（運転）者から見て左側の第１領域にカーナビ画面（小）、その右の第２領域に左ミラーＣＣＤ画面、その右の第３領域にスピードメータ／タコメータ画面、その右の第４領域に燃料系／シートベルト／ドア開閉／ウィンカー画面、その右の第５領域に右ミラーＣＣＤ画面が配置されている。このような画面を表示するための表示用データは以下のように生成される。
【００１５】
ここで、各シーンの切り替えは、イベントによって行われる。ここで、イベントとは、例えば、走行時であれば、左折、右折等の動作を言う。
【００１６】
従って、マイコン１２０２は、車内ネットワーク（ＣＡＮなど）の情報から適切なシーンを選択し、選択したシーン番号をコマンドとしてＤＩＣ１２０１に送信する。
【００１７】
ＤＩＣ１２０１は、コマンドを受け取ると該当するシーンに対応するＣｏｄｅ／Ｉｍａｇｅデータから表示用データを生成して、該表示用データを液晶ワイドインパネ１１００に出力する。
【００１８】
これを詳細に説明すると、以下のようになる。
【００１９】
ＤＩＣ１２０１は、図１５に示すように、システム立ち上り時にＦｌａｓｈＲＯＭ１２０３のＢｏｏｔ  Ｃｏｄｅ領域をＲＡＭ１２０４に転送する。ここで、システム立ち上り時とは、具板的には、自動車のイグニッションキーが回されたときとする。
【００２０】
次に、ＤＩＣ１２０１は、図１６に示すように、ＲＡＭ１２０４に転送されたＢｏｏｔ  Ｃｏｄｅに記述されたコマンドに従って、ＦｌａｓｈＲＯＭ１２０３のＣｏｄｅ／Ｉｍａｇｅ領域のデータをＲＡＭ１２０４に転送する。
【００２１】
そして、ＤＩＣ１２０１は、図１７に示すように、マイコン１２０２のコマンドをトリガーにし、ＲＡＭ１２０４上のＣｏｄｅ／Ｉｍａｇｅデータを読み込んで、表示用データの生成を行う。
【００２２】
図１８は、図１１に示す表示システムにおいて実行される表示処理の流れを示すフローチャートである。
【００２３】
まず、イグニッションキーを回してシステムが立ち上げると、ＦｌａｓｈＲＯＭ１２０３に格納された全てのデータをＲＡＭ１２０４へする（ステップＳ１０１）。
【００２４】
具体的には、まず、図１５に示すように、Ｆｌａｓｈ  ＲＯＭ１２０３のＢｏｏｔ  Ｃｏｄｅ  領域に格納されたＢｏｏｔ  Ｃｏｄｅ  データを、ＤＩＣ１２０１を解してＲＡＭ１２０４のＢｏｏｔ  Ｃｏｄｅ  領域に転送する。次に、ＤＩＣ１２０１は、図１６に示すように、ＲＡＭ１２０４のＢｏｏｔ  Ｃｏｄｅ  領域に格納されたＢｏｏｔ  Ｃｏｄｅ  データに基づいて、Ｆｌａｓｈ  ＲＯＭ１２０３内のＣｏｄｅ／Ｉｍａｇｅ領域に格納されたすべてのＣｏｄｅ／ＩｍａｇｅデータをＲＡＭ１２０４に転送する。
【００２５】
次に、ＤＩＣ１２０１は、ＲＡＭ１２０４内のＣｏｄｅ／Ｉｍａｇｅデータを読み出して、最初のシーンを表示させるための表示用データを生成し、当該表示用データを表示装置であるワイドインパネ１１００に出力する（ステップＳ１０２）。
【００２６】
具体的には、まず、図１７に示すように、マイコン１２０２が取得した移動体情報に基づいて、ＤＩＣ１２０１にＲＡＭ１２０４に格納されたＣｏｄｅ／Ｉｍａｇｅデータを読み出させる。そして、ＤＩＣは、読み出したＣｏｄｅ／Ｉｍａｇｅデータから、表示用データを生成し、当該表示用データをワイドインパネ１１００に出力する。
【００２７】
続いて、最初のシーンを表示させた状態で、ＤＩＣ１２０１は、マイコン１２０２からのコマンド入力があるか否かを判断する（ステップＳ１０３）。ここで、マイコン１２０２からのコマンド入力があると判断されれば、ステップＳ１０４に移行する。
【００２８】
ステップＳ１０４では、ＤＩＣ１２０１は、指定されたコマンドに該当するシーンのＣｏｄｅ／ＩｍａｇｅデータをＲＡＭ１２０４から読み出して、当該シーンを表示させるための表示用データを生成し、当該表示用データを表示装置であるワイドインパネ１１００に出力する。
【特許文献１】ＷＯ  ２００６／０２２１９１  Ａ１（国際公開日：２００６年３月２日）
【発明の開示】
【発明が解決しようとする課題】
【００２９】
ところが、従来の表示システムでは、システム起動から最初のシーンを表示させるまでに、すべてのシーンを表示させるためのＣｏｄｅ／Ｉｍａｇｅデータを一括してＦｌａｓｈ  ＲＯＭ１２０３からＲＡＭ１２０４に転送しているので、ＤＩＣ１２０１が最初のシーンを表示するまでに時間を要し、操作性という観点から十分でなかった。
【００３０】
そこで、液晶インパネシステムを起動させて、最初のシーンを表示するまでの時間を短縮させるために、ＤＩＣ１２０１の性能を向上させることが考えられる。つまり、ＤＩＣ１２０１の性能を向上させるには、高性能のＣＰＵを使用する必要がある。
【００３１】
しかしながら、高性能のＣＰＵは非常に高価であり、システム全体の価格を上昇させることになる。
【００３２】
また、ＣＰＵが高性能になれば、信頼性の低下という問題が生じ、安全性について問題が生じる。
【００３３】
本発明は、上記の各問題点に鑑みなされたものであって、その目的は、既存のハードウエアをできるだけ使用して、表示システムを起動させて、最初のシーンの表示までの時間を短縮させることで、操作性の向上を図ることのできる表示システムを提供することにある。
【課題を解決するための手段】
【００３４】
本発明に係る表示システムは、上記課題を解決するために、操縦可能な移動体に搭載された表示システムであって、上記移動体に関する複数種類の情報を画像として表示する表示装置と、上記表示装置において表示すべき画像を予め設定したシーン毎に表示用データとして当該表示装置に出力する表示用データ出力装置とを備え、上記表示用データ出力装置は、一つのシーンを表示するのに必要な最小単位のデータをコードイメージデータとしたとき、上記表示装置において表示すべきシーン全てを表示するのに必要な全てのコードイメージデータを格納する第１記憶部と、上記第１記憶部から転送されたコードイメージデータを格納する第２記憶部と、上記第１記憶部に格納されたコードイメージデータを上記第２記憶部に転送させ、該第２記憶部に転送されたコードイメージデータから上記表示用データを生成し、生成した表示用データを上記表示装置に出力する表示用データ生成出力手段と、上記第１記憶部に格納されたコードイメージデータを、所定の基準でグループに分類し、グループ単位で、上記第２記憶部に転送させ、当該転送が完了したグループのコードイメージデータから上記表示用データを生成するように上記表示用データ生成手段を制御する制御手段とを有することを特徴としている。
【００３５】
上記の構成によれば、表示用データ生成手段は、第１記憶部に格納されたコードイメージデータを、所定の基準でグループに分類し、グループ単位で、上記第２記憶部に転送させ、転送が完了されたグループのコードイメージデータから上記表示用データを生成するようにすることで、全てのコードイメージデータが第２記憶部へ転送されるまで待つのではなく、上記グループ単位で第２記憶部への転送が完了されたコードイメージデータから表示用データを生成するようになるので、表示システムを起動させて、最初のシーンの表示までの時間を短縮させることが可能となる。
【００３６】
また、上記第１記憶部から第２記憶部への転送を所定の基準で分類されたグループ単位で転送するようにしているだけなので、表示システムを起動させて、最初のシーンの表示までの時間を短縮させるために、ＣＰＵを高性能にする必要はなく、既存の安定して駆動できるＣＰＵで対応可能となる。これにより、システムの信頼性の低下を抑制できるので、表示システムを搭載した移動体における安全性を確保することができる。
【００３７】
上記のグループを分類する際の所定の基準としては、例えば優先度が考えられる。
【００３８】
例えば、上記各コードイメージデータには、上記第１記憶部から上記第２記憶部へコードイメージデータを転送する優先順位を示す優先度が付与され、上記制御手段は、上記第１記憶部に格納された複数のコードイメージデータを、付与された優先度から同じ優先度のグループに分類し、優先度の高いグループから順に、上記第２記憶部に転送させるように表示用データ生成手段を制御するようにしてもよい。
【００３９】
この場合、第１記憶部から第２記憶部にコードイメージデータを優先度の高いグループ毎に転送させることができるので、ユーザは、各コードイメージデータに優先度を付与するだけで転送順番を決めることが可能となる。
【００４０】
上記優先度は、１〜ｎ（ｎは自然数）段階に設定可能であってもよい。優先度の付与による順位付けの自由度を高めることができる。
【００４１】
また、上記優先度とシーンとを対応付けた優先度テーブルを有し、上記制御手段は、上記第１記憶部に格納された複数のコードイメージデータを、上記優先度テーブルを参照して、同じ優先度のグループに分類し、優先度の高いグループから順に、上記第２記憶部に転送させるように表示用データ生成手段を制御するようにしてもよい。
【００４２】
この場合、優先度とシーンとを対応付けた優先度テーブルを有し、この優先度テーブルを利用して、同じ優先度のグループに分類するようになっているので、複数のコードイメージデータ（シーン）を簡単にグループに分類することができる。
【００４３】
これにより、グループの分類が簡単になるので、システムの起動から最初のシーンの表示までの時間をさらに短縮させることができる。
【発明の効果】
【００４４】
本発明に係る表示システムは、以上のように、操縦可能な移動体に搭載された表示システムであって、上記移動体に関する複数種類の情報を画像として表示する表示装置と、上記表示装置において表示すべき画像を予め設定したシーン毎に表示用データとして当該表示装置に出力する表示用データ出力装置とを備え、上記表示用データ出力装置は、一つのシーンを表示するのに必要な最小単位のデータをコードイメージデータとしたとき、上記表示装置において表示すべきシーン全てを表示するのに必要な全てのコードイメージデータを格納する第１記憶部と、上記第１記憶部から転送されたコードイメージデータを格納する第２記憶部と、上記第１記憶部に格納されたコードイメージデータを上記第２記憶部に転送させ、該第２記憶部に転送されたコードイメージデータから上記表示用データを生成し、生成した表示用データを上記表示装置に出力する表示用データ生成出力手段とを有し、上記表示用データ生成手段は、上記第１記憶部に格納されたコードイメージデータを、所定の基準でグループに分類し、グループ単位で、上記第２記憶部に転送させ、転送が完了されたグループのコードイメージデータから上記表示用データを生成することで、表示システムを起動させて、最初のシーンの表示までの時間を短縮させることができるという効果を奏する。
【発明を実施するための最良の形態】
【００４５】
本発明の一実施の形態について説明すれば、以下の通りである。
【００４６】
本実施の形態では、本発明の表示システムを、操縦可能な移動体の一つである自動車のインストルメントパネル（以下、インパネと称する）として用いられる、液晶インパネシステムに適用した例について説明する。
【００４７】
本実施の形態に係る液晶インパネシステムは、図１に示すように、表示部としての液晶ワイドインパネ１００と、該液晶ワイドインパネ１００に対して表示用データを供給する液晶プラットフォーム部（表示用データ出力装置）２００と、該液晶プラットフォーム部２００に対して表示用データ生成のために必要な画像の一部を供給する入力ストリーム部３００とを含んだ構成となっている。
【００４８】
上記液晶ワイドインパネ１００は、移動体である自動車の時間経過に伴って変化する移動体情報（車両情報）を含む複数の情報を画像として表示するようになっている。
【００４９】
例えば、上記液晶ワイドインパネ１００は、自動車のインパネとして使用され、横長（例えば、アスペクト比が３：７以上）の液晶表示パネルからなり、上記液晶プラットフォーム部２００から供給される表示用データに応じた画像を表示するようになっている。
【００５０】
上記液晶プラットフォーム部２００は、上記液晶ワイドインパネ１００において表示すべき画像を予め設定したシーン毎に表示用データとして当該液晶ワイドインパネ１００に出力するようになっている。
【００５１】
具体的には、例えば上記液晶プラットフォーム部２００は、上記表示用データを生成するＤＩＣ２０１、該ＤＩＣ２０１を制御する制御手段としてのマイコン２０２、上記ＤＩＣ２０１に接続されたＦｌａｓｈＲＯＭ２０３及びＲＡＭ２０４を含んでいる。
【００５２】
上記マイコン２０２は、車内ネットワーク（ＣＡＮ等）からネットワーク入力ポートを介して、得られる車両情報（スピード、燃料残、ハンドル回転角度などを示す情報）から、適切なシーン（後述する）を求めて、対応するシーンのインデックス番号をコマンドとしてＤＩＣ２０１に出力するようになっている。
【００５３】
上記マイコン２０２内のＲＯＭには、マイコン２０２自身をコントロールするためのプログラム及び液晶ワイドインパネ１００に表示させるシーンの優先度を示したシーン優先度テーブル２０６（後述する）が格納されている。また、同マイコン２０２内のＲＡＭには、当該マイコン２０２の動作に必要なワーク領域などが確保されている。
【００５４】
上記ＤＩＣ２０１は、入力ポートを介して入力される、入力ストリーム部３００からのストリーム情報（カーナビ画像、ＣＣＤカメラ画像等）と、ＲＡＭ２０４に格納されたＣｏｄｅ／Ｉｍａｇｅデータとから、マイコン２０２からのコマンドによって指定されたシーンに対応する表示用データを生成し、生成した表示データを、出力ポートを介して液晶ワイドインパネ１００に出力するようになっている。
【００５５】
上記Ｃｏｄｅ／Ｉｍａｇｅデータを、上記液晶ワイドインパネ１００において表示すべき画像のうち、上記車両情報を除いた情報に対応する画像の少なくとも一部と、当該画像の表示すべき位置、大きさ等の表示条件を示した表示条件情報とで構成されていものとする。このＣｏｄｅ／Ｉｍａｇｅデータの詳細については、後述する。
【００５６】
上記ＦｌａｓｈＲＯＭ２０３（第１記憶部）は、表示条件情報が異なる複数種類のＣｏｄｅ／Ｉｍａｇｅデータを格納するようになっている。
【００５７】
上記ＲＡＭ２０４（第２記憶部）は、上記ＦｌａｓｈＲＯＭ２０３に格納されたＣｏｄｅ／Ｉｍａｇｅデータを一時的に格納するようになっている。
【００５８】
上記Ｃｏｄｅ／ＩｍａｇｅデータのＦｌａｓｈＲＯＭ２０３からＲＡＭ２０４への転送は、上述したマイコン２０２によって制御される。すなわち、マイコン２０２は、上記ＲＡＭ２０４に格納されたＣｏｄｅ／Ｉｍａｇｅデータを所定のタイミングで上記ＲＡＭ２０４に転送制御するようになっている。
【００５９】
具体的には、上記マイコン２０２は、上記車両情報を取得したときに、当該車両情報から選択される上記シーンに対応した表示用データを生成するのに必要なＣｏｄｅ／Ｉｍａｇｅデータを、ＦｌａｓｈＲＯＭ２０３からＲＡＭ２０４へ転送させるコマンドを上記ＤＩＣ２０１に出力するようになっている。
【００６０】
ここで、ＦｌａｓｈＲＯＭ２０３のデータ格納領域について図２を参照しながら以下に説明する。なお、本実施の形態で使用するＲＡＭ２０４は、ＦｌａｓｈＲＯＭ２０３からのデータが転送されるので、少なくともＦｌａｓｈＲＯＭ２０３と同じデータ格納領域を有しているものとする。
【００６１】
ＦｌａｓｈＲＯＭ２０３は、図２に示すように、先頭のデータ格納領域をＢｏｏｔ  Ｃｏｄｅ領域とし、残りのデータ格納領域をＣｏｄｅ／Ｉｍａｇｅ領域とした構成となっている。ここで、上記ＦｌａｓｈＲＯＭ２０３は、一つのＢｏｏｔ  Ｃｏｄｅ領域に対して、複数のＣｏｄｅ／Ｉｍａｇｅ領域１，２，３、・・・・・を含んだ構成となっている。
【００６２】
Ｂｏｏｔ  Ｃｏｄｅ領域には、Ｂｏｏｔ  Ｃｏｄｅデータが格納される。Ｂｏｏｔ  Ｃｏｄｅデータは、ＦｌａｓｈＲＯＭ２０３からＲＡＭ２０４に転送するＣｏｄｅ／Ｉｍａｇｅデータの順番を規定したデータである。
【００６３】
Ｃｏｄｅ／Ｉｍａｇｅ領域には、Ｃｏｄｅ／Ｉｍａｇｅデータが格納される。Ｃｏｄｅ／Ｉｍａｇｅデータは、各シーンに対応した表示を行うための画像データである。
【００６４】
各Ｃｏｄｅ／Ｉｍａｇｅ領域には、それぞれシーン毎に設定されたＣｏｄｅ／Ｉｍａｇｅデータが格納されるようになっている。
【００６５】
一つのＣｏｄｅ／Ｉｍａｇｅ領域は、図３に示すように、一つのコマンド領域と、ｎ（ｎは自然数）個のイメージ領域とで構成されている。なお、図３は、ＦｌａｓｈＲＯＭ２０３のデータ格納領域を示した図であるが、説明の便宜上、Ｂｏｏｔ  Ｃｏｄｅ領域は省略している。
【００６６】
上記コマンド領域は、表示画面を構成する、ＣＣＤカメラによって撮像された動画等の各種動画の入力枠やイメージ領域に格納されているイメージによる部品データ（燃料計、速度計、シフトインジケータ等）の表示位置・サイズなどを含んだコマンド群からなるデータを格納する領域である。
【００６７】
Ｃｏｄｅ／Ｉｍａｇｅ領域１のコマンド領域１には、上記のコマンド群からなるデータＣ１が格納されている。
【００６８】
上記イメージ領域は、イメージによる部品データを格納する領域である。このイメージ領域は、一つのシーンに対応する表示画面を構成するのに必要な部品データを一つずつ格納している。例えば、図３に示すように、Ｃｏｄｅ／Ｉｍａｇｅ領域１のイメージ領域１−１には、燃料計を示すイメージによる部品データＤ１−１が格納され、イメージ領域１−２には、速度計を示すイメージによる部品データＤ１−２が格納され、イメージ領域１−ｎには、シフトインジケータを示すイメージによる部品データ１−ｎが格納されている。
【００６９】
以上のように、Ｃｏｄｅ／Ｉｍａｇｅデータ１は、コマンド領域１に格納されるデータＣ１と、各イメージ領域に格納されるｎ個の部品データＤ１−１〜Ｄ１−ｎとで構成されている。同様に、Ｃｏｄｅ／Ｉｍａｇｅデータ２は、コマンド領域２に格納されるデータＣ２と各イメージ領域に格納される複数の部品データＤ２−１、・・・・とで構成されている。
【００７０】
よって、一つのシーンには、一つのコマンド、複数のイメージが対応している。
【００７１】
そして、上記ＦｌａｓｈＲＯＭ２０３には、複数のＣｏｄｅ／ＩｍａｇｅデータがそれぞれＣｏｄｅ／Ｉｍａｇｅ領域に格納されている。
【００７２】
なお、上記Ｃｏｄｅ／Ｉｍａｇｅデータには、液晶ワイドインパネ１００において表示すべき優先順位（優先度）が付与されている。
【００７３】
ここで、優先度とは、上述したように、液晶ワイドインパネ１００において表示すべき優先順位を示す。例えば、優先度１、優先度２、・・・・、優先度ｎでは、優先度に付与した数字（１，２、・・・、ｎ）が小さいほど優先度が高いことを示している。つまり、優先度１が、優先度が一番高いことを示している。
【００７４】
ここで、シーン優先度テーブル２０６について、図４を参照しながら以下に説明する。
【００７５】
図４において、優先度に対応するシーンのインデックス番号（各Ｃｏｄｅ／Ｉｍａｇｅ領域へのポインタ）は、ＦｌａｓｈＲＯＭ２０３のＣｏｄｅ／Ｉｍａｇｅ領域の番号に等しいものとする。
【００７６】
つまり、上記シーン優先度テーブル２０６において、優先度１に対応するシーンのインデックス番号は、１，２，３であるので、ＦｌａｓｈＲＯＭ２０３のＣｏｄｅ／Ｉｍａｇｅ領域１，２，３に格納されているＣｏｄｅ／Ｉｍａｇｅデータの優先度は１である。
【００７７】
本システムでは、シーン優先度テーブル２０６を用いて、ＦｌａｓｈＲＯＭ２０３からＲＡＭ２０４へのＣｏｄｅ／Ｉｍａｇｅデータの転送手順を決めている。
【００７８】
上記シーン優先度テーブル２０６は、マイコン２０２内のＲＯＭ内に搭載する旨を記載したが、これに限定されるものではなく、ＤＩＣ２０１に接続されているＦｌａｓｈＲＯＭ２０３に搭載し、ＤＩＣ２０１経由でマイコン２０２が同テーブルを読み込むような実装にしてもかまわない。
【００７９】
上記シーン優先度テーブル２０６は、各シーンを設計するシステム設計者が各シーンに対応して設定した優先度によって生成される。
【００８０】
具体的なシーン優先度テーブル２０６の生成について、図５を参照しながら以下に説明する。
【００８１】
図５に示すように、ユーザ側では、シーンＡ，Ｂ，Ｃ，Ｄ，Ｅ，Ｆ，・・・・を生成する際に、それぞれの優先度を設定する。例えば、シーンＡ，シーンＣ，シーンＤは優先度を１に設定し、シーンＢ，シーンＥは優先度２に設定し、シーンＦは優先度３に設定する。
【００８２】
システム側では、ＦｌａｓｈＲＯＭ２０３の各Ｃｏｄｅ／Ｉｍａｇｅ領域に、ユーザ側で設定された優先度に応じて各シーンに対応したＣｏｄｅ／Ｉｍａｇｅデータが格納される。ここでは、優先度の一番高い優先度１のグループに含まれるシーンＡ，Ｃ，Ｄに対応するＣｏｄｅ／Ｉｍａｇｅデータが、ＦｌａｓｈＲＯＭ２０３のＣｏｄｅ／Ｉｍａｇｅ領域１，２，３のそれぞれに格納される。
【００８３】
また、システム側では、ＦｌａｓｈＲＯＭ２０３にＣｏｄｅ／Ｉｍａｇｅデータが格納される際に、優先度と対応するシーンとを対応付けたシーン優先度テーブル２０６が生成される。このシーン優先度テーブル２０６は、マイコン２０２のＲＯＭ内に格納されているものとする。
【００８４】
具体的には、上記シーン優先度テーブル２０６では、シーンの優先度と、対応するシーンのＣｏｄｅ／Ｉｍａｇｅデータが格納されたＣｏｄｅ／Ｉｍａｇｅ領域へのポインタとが対応付けられて格納されている。
【００８５】
ここで、ＦｌａｓｈＲＯＭ２０３からＲＡＭ２０４へのデータの流れについて以下に説明する。
【００８６】
液晶インパネシステムが立ち上がると、マイコン２０２は、図６に示すように、ネットワーク入力に基づいて、ＤＩＣ２０１に対して、Ｆｌａｓｈ  ＲＯＭ２０３のＢｏｏｔ  Ｃｏｄｅ領域に格納されたＢｏｏｔ  ＣｏｄｅデータをＲＡＭ２０４のＢｏｏｔ  Ｃｏｄｅ領域に転送させるコマンドを出力する。
【００８７】
これにより、ＤＩＣ２０１は、マイコン２０２からのコマンドに基づいて、ＦｌａｓｈＲＯＭ２０３のＢｏｏｔ  Ｃｏｄｅ領域に格納されているＢｏｏｔ  Ｃｏｄｅデータを、ＲＡＭ２０４のＢｏｏｔ  Ｃｏｄｅ領域に転送する。
【００８８】
次に、マイコン２０２は、ＤＩＣ２０１に対して、ＲＡＭ２０４のＢｏｏｔ  Ｃｏｄｅ領域に格納されたＢｏｏｔ  Ｃｏｄｅデータに従って、Ｆｌａｓｈ  ＲＯＭ２０３のＣｏｄｅ／Ｉｍａｇｅ領域１に格納されているＣｏｄｅ／ＩｍａｇｅデータをＲＡＭ２０４のＣｏｄｅ／Ｉｍａｇｅ領域１に転送させるコマンドを出力する。このＣｏｄｅ／Ｉｍａｇｅ領域１には、同インパネシステムを搭載した車両がエンジン立ち上げ時のみ必要な表示情報に対応するＣｏｄｅ／Ｉｍａｇｅデータが格納されているものとする。
【００８９】
これにより、ＤＩＣ２０１は、マイコン２０２からのコマンドに基づいて、ＲＡＭ２０４のＢｏｏｔ  Ｃｏｄｅ領域に格納されているＢｏｏｔ  Ｃｏｄｅデータに基づいて、ＦｌａｓｈＲＯＭ２０３のＣｏｄｅ／Ｉｍａｇｅ領域１に格納されているＣｏｄｅ／Ｉｍａｇｅデータを、ＲＡＭ２０４のＣｏｄｅ／Ｉｍａｇｅ領域１に転送する。
【００９０】
マイコン２０２およびＤＩＣ２０１は、Ｆｌａｓｈ  ＲＯＭ２０３のＣｏｄｅ／Ｉｍａｇｅ領域１に格納されたＣｏｄｅ／ＩｍａｇｅデータのＲＡＭ２０４のＣｏｄｅ／Ｉｍａｇｅ領域１への転送完了をモニタリングしており、転送完了後は、図８に示すように、引き続きＦｌａｓｈ  ＲＯＭ２０３のＣｏｄｅ／Ｉｍａｇｅ領域２に格納されたＣｏｄｅ／ＩｍａｇｅデータのＲＡＭ２０４への転送処理を行う。
【００９１】
ＤＩＣ２０１は、同様にして、優先度の同じＣｏｄｅ／ＩｍａｇｅデータをＦｌａｓｈＲＯＭ２０３からＲＡＭ２０４に転送する。
【００９２】
なお、ＤＩＣ２０１による表示用データの生成および液晶ワイドインパネ１００への表示用データの出力は、他のＣｏｄｅ／ＩｍａｇｅデータがＦｌａｓｈＲＯＭ２０３からＲＡＭ２０４への転送中であっても、すでにＲＡＭ２０４に転送されたＣｏｄｅ／Ｉｍａｇｅデータに基づいてレイアウトの表示が同時にできるように表示用データを生成し、液晶ワイドインパネ１００に出力することができる。
【００９３】
つまり、ＲＡＭ２０４に転送されたＣｏｄｅ／Ｉｍａｇｅデータによって一つのシーンの表示を行うための表示用データを生成可能であれば、生成した表示用データを液晶ワードインパネ１００に順次出力するようにすれば、他のシーンのＣｏｄｅ／Ｉｍａｇｅデータの転送中であっても当該液晶ワイドインパネ１００においてシーンの表示を可能とする。
【００９４】
ここで、ＲＡＭ２０４への転送は、予め指定された同一優先度のグループごとに行われる。このため、同グループの転送を行っている際に別のタスク処理にて該当シーンにあたるＣｏｄｅ／Ｉｍａｇｅデータが転送完了したかをチェックし、該当シーンのＣｏｄｅ／Ｉｍａｇｅデータが転送されたタイミングで、転送タスクとは別タスクで液晶ワイドインパネ１００に表示させるように表示用データを出力することになる。
【００９５】
ここで、ＤＩＣ２０１による表示用データの生成および出力の処理の流れについて、図９に示すフローチャートを参照しながら以下に説明する。
【００９６】
まず、ＤＩＣ２０１は、マイコン２０２からのコマンドに基づいて、Ｆｌａｓｈ  ＲＯＭ２０３からＲＡＭ２０４へ優先度（１）のデータ（Ｃｏｄｅ／Ｉｍａｇｅデータ）を全て転送する（ステップＳ１１）。
【００９７】
ここでは、先ほど説明した、図６〜図８で示した手順でデータの転送を行う。
【００９８】
次に、ＤＩＣ２０１は、最初のシーンを液晶ワイドインパネ１００に表示させるための表示用データを生成し、出力する（ステップＳ１２）。
【００９９】
ここで、最初のシーンとしては、車両が始動時に液晶ワイドインパネ１００に表示されるオープニング画面をあげることができる。しかしながら、優先度（１）のシーンとしては、上記のオープニング画面のほかに、図１０に示すように、低速前進の画面、低速バックの画面が設定されているので、ＤＩＣ２０１は、引き続き、低速前進の画面あるいは低速バックの画面を表示させるための表示用データを生成し、出力するようになっている。
【０１００】
続いて、優先度（ｉ）を２にする（ステップＳ１３）。
【０１０１】
そして、ＤＩＣ２０１は、マイコン２０２からのコマンド入力を待ち（ステップＳ１４）、コマンドが入力されれば、ステップＳ１５に移行する。
【０１０２】
ステップＳ１５において、ＤＩＣ２０１は、指定されたコマンドに該当するシーンを表示するための表示用データを生成し、液晶ワイドインパネ１００に出力する。
【０１０３】
一方、ステップＳ１４において、マイコン２０２からのコマンドが入力されなければ、ＲＡＭ２０４に未転送のデータが存在しているか否かを判断する（ステップＳ１６）。この判断は、ＤＩＣ２０１とマイコン２０２とによって行われる。
【０１０４】
ステップＳ１６において、未転送のデータがあると判断すれば、マイコン２０２は、シーン優先度テーブルを参照し、優先度（ｉ）のデータをＦｌａｓｈ  ＲＯＭ２０３からＲＡＭ２０４に転送させるコマンドをＤＩＣ２０１に出力する（ステップＳ１７）。
【０１０５】
そして、優先度（ｉ）をインクリメントする（ステップＳ１８）。
【０１０６】
以上のステップＳ１５，Ｓ１６，Ｓ１８が完了した後は、再度、ステップＳ１４に移行して、マイコン２０２からのコマンド入力待ち状態となる。
【０１０７】
続いて、上記の液晶インパネシステムを用いた具体例について以下に説明する。ここでは、シーン優先度テーブルとして、図１０に示すテーブルを用いた場合について説明する。
【０１０８】
まず、運転者がイグニッションキーをまわすことで、図１に示す表示システムが立ち上がる。
【０１０９】
次に、マイコン２０２は、液晶インパネシステムが立ち上がることで、車内ネットワークを介して入力される車両情報に基づいて、図１０に示すシーン優先度テーブルから、優先度１となるシーン、すなわち、「オープニング画面」、「低速前進」、「低速バック」のシーンに対応するＣｏｄｅ／ＩｍａｇｅデータをそれぞれＦｌａｓｈＲＯＭ２０３のＣｏｄｅ／Ｉｍａｇｅ領域からＲＡＭ２０４の該当するＣｏｄｅ／Ｉｍａｇｅ領域に転送させるためのコマンドをＤＩＣ２０１に出力する。
【０１１０】
ＤＩＣ２０１は、優先度１のＣｏｄｅ／ＩｍａｇｅデータがＲＡＭ２０４に転送完了した後、すぐに「オープニング画面」を表示するための表示用データを生成し、液晶ワイドインパネ１００に出力する。
【０１１１】
ここで、オープニング画面には、車内システムのチェック、カーナビの行き先入力表示、車両死角のモニター映像など、エンジン起動時に必要な情報が表示される。
【０１１２】
続いて、車両が低速前進あるいは低速バックし始めると、何れかの車両情報がマイコン２０２に入力される。
【０１１３】
ここで、マイコン２０２は、車両が低速前進することを示す車両情報（例えば、ギアがドライブＤレンジなどの前進に入っていたことを示す情報）が入力されると、ＤＩＣ２０１に対して、車両の低速前進のシーンを表示させる表示用データを生成するようにコマンドを出力する。
【０１１４】
また、マイコン２０２は、車両が低速バックすることを示す車両情報（ギアがバックに入ったことを示す情報）が入力されると、ＤＩＣ２０１に対して、車両の低速バックのシーンを表示させる表示用データを生成するようにコマンドを出力する。
【０１１５】
上記低速前進では、車両速度が０〜３０ｋｍ／ｈを想定している。
【０１１６】
従って、マイコン２０２は、ＤＩＣ２０１に対して、車両速度が３０ｋｍ／ｈになるまでに、優先度２のシーングループ分のデータをＦｌａｓｈＲＯＭ２０３からＲＡＭ２０４に転送させるコマンドを出力する。
【０１１７】
なお、車両速度が３０ｋｍ／ｈになるまでに、優先度２のＣｏｄｅ／ＩｍａｇｅデータがＦｌａｓｈＲＯＭ２０３からＲＡＭ２０４に転送を完了させるには、優先度２のＣｏｄｅ／Ｉｍａｇｅデータ量を予め調整する必要がある）。
【０１１８】
優先度２のシーンは、通常走行、通常走行左折、通常走行右折である。ここで、通常走行は、車両速度が３０ｋｍ／ｈ〜６０ｋｍ／ｈを想定している。
【０１１９】
従って、マイコン２０２は、ＤＩＣ２０１に対して、車両速度が６０ｋｍ／ｈになるまでに、優先度３のシーングループ分のデータをＦｌａｓｈＲＯＭ２０３からＲＡＭ２０４に転送させるコマンドを出力する。
【０１２０】
優先度３のシーンは、高速走行、高速走行左折、高速走行右折である。ここで、高速走行は、車両速度が６０ｋｍ／ｈ〜を想定している。
【０１２１】
なお、同一優先度に割り振られているシーングループ分のデータの転送が完了しない状態で、次の優先度のシーングループに遷移してしまう場合は、優先度の区分をより細かく設定する必要がある。
【０１２２】
なお、シーングループ内のシーングループが1つで大きなＣｏｄｅ／Ｉｍａｇｅデータを抱えている場合、上記のように優先度を細かく区分けしても転送が間に合わない状況が発生する。
【０１２３】
そこで、基本的には転送が間に合わない状況が必ず発生することを前提として、必ず必須となるシーンは最優先のグループに設定してシステム初期化時に転送を完了しておき、これを防止する必要がある。
【０１２４】
以下に具体例を示す。
【０１２５】
例えば、図１０において、優先度２の「通常走行」、優先度の「通常走行」などは速度が切り替わるとまず、遷移するシーンとなり、これらのシーンのＣｏｄｅ／Ｉｍａｇｅサイズが大きくて転送が間に合わない場合シーンの遷移が滞ってしまう。これを防ぐために、これらのシーンをあえて優先度１のグループに指定することが考えられる。
【０１２６】
以上のことから、本実施の形態にかかる液晶インパネシステムでは、ＦｌａｓｈＲＯＭ２０３に格納されるＣｏｄｅ／Ｉｍａｇｅデータが同じ優先度で分類され、ＲＡＭ２０４へは、同じ優先度のＣｏｄｅ／Ｉｍａｇｅデータがグループ単位で転送され、転送されたＣｏｄｅ／Ｉｍａｇｅデータを用いて表示用データを生成し、液晶ワイドインパネ１００に出力するようになっている。
【０１２７】
このため、液晶インパネシステムが起動した場合に、液晶ワイドインパネ１００にオープニング画面が表示されるまでの時間を、従来のように、ＦｌａｓｈＲＯＭ２０３に格納されているＣｏｄｅ／Ｉｍａｇｅデータを一度にＲＡＭ２０４に転送する場合に比べて短縮することができる。
【０１２８】
これにより、液晶インパネシステムの操作性の向上を図ることができる。
【０１２９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１３０】
最後に、表示用データ出力装置２００の各ブロック、特にＤＩＣ２０１は、ハードウェアロジックによって構成してもよいし、次のようにＣＰＵを用いてソフトウェアによって実現してもよい。
【０１３１】
すなわち、ＤＩＣ２０１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるＤＩＣ２０１の制御プログラムのプログラムコード（実行形式プログラム、中間コードプログラム、ソースプログラム）をコンピュータで読み取り可能に記録した記録媒体を、上記ＤＩＣ２０１に供給し、そのコンピュータ（またはＣＰＵやＭＰＵ）が記録媒体に記録されているプログラムコードを読み出し実行することによっても、達成可能である。
【０１３２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３３】
また、ＤＩＣ２０１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１３４】
本発明の表示システムは、自動車や電車等の車両、航空機、船舶等における情報表示システムとして広く利用可能である。
【図面の簡単な説明】
【０１３５】
【図１】本発明の実施形態を示すものであり、表示システムの要部構成を示すブロック図である。
【図２】図１に示す表示システム内のＦｌａｓｈＲＯＭのデータ格納領域を示す図である。
【図３】図２に示すＦｌａｓｈＲＯＭのデータ格納領域におけるデータの格納状態を示す図である。
【図４】シーン優先度テーブルとＦｌａｓｈＲＯＭ内のデータとの対応関係を示す図である。
【図５】シーン優先度テーブルの生成手順を示した図である。
【図６】図１に示す表示システムにおけるＦｌａｓｈＲＯＭからＲＡＭへのコードイメージデータの転送手順を示す図である。
【図７】図１に示す表示システムにおけるＦｌａｓｈＲＯＭからＲＡＭへのコードイメージデータの転送手順を示す図である。
【図８】図１に示す表示システムにおけるＦｌａｓｈＲＯＭからＲＡＭへのコードイメージデータの転送手順を示す図である。
【図９】図１に示す表示システムに備えられたＤＩＣによる表示用データの生成および出力の処理の流れを示すフローチャートである。
【図１０】優先度とシーンとの対応関係を示すテーブルである。
【図１１】従来の表示システムの要部構成を示すブロック図である。
【図１２】図１１に示すＦｌａｓｈＲＯＭのデータ格納領域を示す図である。
【図１３】各シーンと、変換後のデジタルデータとの対応関係を示す図である。
【図１４】走行時、停車時およびバック時の液晶ワイドインパネ１１００の表示例を示す図である。
【図１５】図１１に示す表示システムにおけるＦｌａｓｈＲＯＭからＲＡＭへのコードイメージデータの転送手順を示す図である。
【図１６】図１１に示す表示システムにおけるＦｌａｓｈＲＯＭからＲＡＭへのコードイメージデータの転送手順を示す図である。
【図１７】図１１に示す表示システムにおけるＦｌａｓｈＲＯＭからＲＡＭへのコードイメージデータの転送手順を示す図である。
【図１８】図１１に示す表示システムに備えられたＤＩＣによる表示用データの生成および出力の処理の流れを示すフローチャートである。
【符号の説明】
【０１３６】
１００  液晶ワイドインパネ（表示装置）
２００  液晶プラットフォーム部（表示用データ出力装置）
２０１  ＤＩＣ（表示用データ生成手段）
２０２  マイコン（制御手段）
２０３  ＦｌａｓｈＲＯＭ（第１記憶部）
２０４  ＲＡＭ（第２記憶部）
２０６  シーン優先度テーブル
３００  入力ストリーム部
【図２】
2009116043.tif 000003
【図４】
2009116043.tif 000004
【図５】
2009116043.tif 000005
【図６】
2009116043.tif 000006
【図７】
2009116043.tif 000007
【図８】
2009116043.tif 000008
【図９】
2009116043.tif 000009
【図１０】
2009116043.tif 000010
【図１４】
2009116043.tif 000011
【図１５】
2009116043.tif 000012
【図１６】
2009116043.tif 000013
【図１７】
2009116043.tif 000014
【図１８】
2009116043.tif 000015
【図１】
2009116043.tif 000016
【図３】
2009116043.tif 000017
【図１１】
2009116043.tif 000018
【図１２】
2009116043.tif 000019
【図１３】
2009116043.tif 000020